(57)【要約】【課題】不在時のガイダンスなどに個人差を持たせて楽しむことができるようにする。【解決手段】サーバ４に音源が異なる多種類の音声データを蓄積した音声データベース４−１を設ける。例えば、芸能人やスポーツ選手、アナウンサーなどの声を音源とする不在時のガイダンスを音声データとして蓄積しておく。携帯電話機１からのアクセスにより、サーバ４の音声データベース４−１に蓄積されている音声データの中から、所望の人物の声を音源とする不在時のガイダンスを選択指定する。これにより、センタ２は、携帯電話機１の電源が切られている場合や留守番電話のサービス状態にある場合、携帯電話機１の使用者が選択指定した人物の声を音源とする不在時のガイダンスを他の電話機へ返送する。【選択図】        図１
2005020164.tif 000002
【特許請求の範囲】
【請求項１】
電話機と、サーバと、この電話機とサーバとを接続するネットワークとを備えた電話システムにおいて、
前記サーバは、音源が異なる多種類の音声データを蓄積した音声データベースを備え、
前記電話機は、前記サーバの音声データベースに蓄積されている音声データを選択指定する音声データ選択指定手段を備えていることを特徴とする電話システム。
【請求項２】
請求項１に記載された電話システムにおいて、
前記電話機の音声データ選択指定手段は、
その電話機への他の電話機からの呼出しに対してセンタが返送する不在時のガイダンスを前記サーバの音声データベースに蓄積されている音声データの中から選択指定することを特徴とする電話システム。
【請求項３】
請求項１に記載された電話システムにおいて、
前記電話機の音声データ選択指定手段は、
その電話機への他の電話機からの着信に対して出られないことを知らせるガイダンスを前記サーバの音声データベースに蓄積されている音声データの中から選択指定することを特徴とする電話システム。
【請求項４】
請求項１に記載された電話システムにおいて、
前記電話機の音声データ選択指定手段は、
その電話機への他の電話機からの着信に対して出られないことを知らせるガイダンスを所望のボタンと対応づけて前記サーバの音声データベースに蓄積されている音声データの中から選択指定することを特徴とする電話システム。
【請求項５】
請求項１に記載された電話システムにおいて、
前記電話機の音声データ選択指定手段は、
その電話機におけるヘルプメニューで使用するガイダンスを前記サーバの音声データベースに蓄積されている音声データの中から選択指定することを特徴とする電話システム。
【請求項６】
請求項１に記載された電話システムにおいて、
前記電話機の音声データ選択指定手段は、
その電話機における所望のボタンに対応づけて、そのボタンを押した時のキー押下音として使用する音声データを前記サーバの音声データベースに蓄積されている音声データの中から選択指定することを特徴とする電話システム。
【請求項７】
請求項１に記載された電話システムにおいて、
前記電話機は、前記サーバの音声データベースに蓄積されている音声データをオンラインで使用することを特徴とする電話システム。
【請求項８】
請求項１に記載された電話システムにおいて、
前記電話機は、前記サーバの音声データベースに蓄積されている音声データのうち所望の音声データをダウンロードしてオフラインで使用することを特徴とする電話システム。
【請求項９】
請求項１に記載された電話システムにおいて、
前記電話機は、前記サーバの音声データベースに蓄積されている音声データのオンラインでの使用と、前記サーバの音声データベースに蓄積されている音声データのうち所要の音声データをダウンロードしてのオフラインでの使用を併用することを特徴とする電話システム。
【発明の詳細な説明】
【０００１】
【発明の属する技術分野】
この発明は、サーバに蓄積されている音声データを利用する電話システムに関するものである。
【０００２】
【従来の技術】
従来より、例えば携帯電話システムでは、携帯電話機の電源が切られている場合や携帯電話機が留守番電話のサービス状態にある場合、その携帯電話機への他の電話機からの呼出しに対して、不在である旨や留守番電話サービスへ継ぐ旨のメッセージ（不在時のガイダンス）をセンタから他の電話機へ音声で返送している（例えば、特許文献１参照）。
また、他の電話機から着信があっても出られないような場合、その着信に対して出られない旨のメッセージ（不応答時のガイダンス）を携帯電話機から他の電話機へ音声で返送している（例えば、特許文献２参照）。
また、携帯電話機の操作や設定が分からない場合には、携帯電話機内に登録されている文字情報のみのヘルプメニューを使用している。
また、携帯電話機の各ボタンからは固定のキー押下音が出力される。
【０００３】
【特許文献１】
特開２００２−１９９１０５号公報
【特許文献２】
特開平０５−２１９２１７号公報
【０００４】
【発明が解決しようとする課題】
現在、この種の携帯電話システムでは、着信メロディや着信音声というような携帯電話機に個人差をつけて楽しむことが盛んに行われている。
しかしながら、電源が切られている場合や留守番電話のサービス状態にある場合にセンタから他の電話機へ返送する不在時のガイダンスは、その音源が固定されており、個人差を持たせることができない。
また、他の電話機からの着信に対して出られない時に返送する不応答時のガイダンスも、その音源が固定されており、個人差を持たせることができない。
また、携帯電話機で使用するヘルプメニューは文字情報であり、これにも個人差を持たせることができない。
また、携帯電話機の各ボタンからのキー押下音は固定であり、これにも個人差を持たせることができない。
【０００５】
本発明はこのような課題を解決するためになされたもので、その目的とするところは、他の電話機へ返送するガイダンスやヘルプメニューで使用するガイダンス、各ボタンのキー押下音などに個人差を持たせて楽しむことができる電話システムを提供することにある。
【０００６】
【課題を解決するための手段】
このような目的を達成するために本発明は、電話機と、サーバと、この電話機とサーバとを接続するネットワークとを備えた電話システムにおいて、サーバに音源が異なる多種類の音声データを蓄積した音声データベースを設け、電話機にサーバの音声データベースに蓄積されている音声データを選択指定する音声データ選択指定手段を設けたものである。
この発明によれば、電話機からのアクセスにより、サーバの音声データベースに蓄積されている音声データ（音源が異なる多種類の音声データ）の中から所望の音源の音声データを選択指定することができる。
【０００７】
〔不在時のガイダンス〕
例えば、サーバの音声データベースに、芸能人やスポーツ選手、アナウンサーなどの声を音源とする不在時のガイダンスを音声データとして蓄積しておく。そして、必要に応じて電話機からアクセスし、サーバの音声データベースに蓄積されている音声データの中から、所望の人物の声を音源とする不在時のガイダンスを選択指定する。
【０００８】
〔不応答時のガイダンス〕
例えば、サーバの音声データベースに、芸能人やスポーツ選手、アナウンサーなどの声を音源とする不応答時のガイダンスを音声データとして蓄積しておく。そして、必要に応じて電話機からアクセスし、サーバの音声データベースに蓄積されている音声データの中から、所望の人物の声を音源とする不応答時のガイダンスを選択指定する。また、不応答時のガイダンスの選択指定に際して、選択指定したガイダンスと電話機における所望のボタンとを対応づけ、そのボタンを押下した場合に選択指定したガイダンスを相手側の電話機に返送できるようにする。
【０００９】
〔ヘルプメニューで使用するガイダンス〕
例えば、サーバの音声データベースに、芸能人やスポーツ選手、アナウンサーなどの声を音源とするヘルプメニューで使用するガイダンスを音声データとして蓄積しておく。そして、必要に応じて電話機からアクセスし、サーバの音声データベースに蓄積されている音声データの中から、所望の音源のヘルプメニューで使用するガイダンスを選択指定する。
【００１０】
〔キー押下音〕
例えば、サーバの音声データベースに、各種信号音（機械音や環境音）、動物の鳴声などを音源とする音声データを蓄積しておく。そして、必要に応じて電話機からアクセスし、サーバの音声データベースに蓄積されている音声データの中から、電話機における各ボタンについて、そのボタンを押した時のキー押下音として使用する所望の音源の音声データを選択指定する。
【００１１】
〔音声データのオンライン、オフラインでの使用〕
サーバの音声データベースに蓄積されている音声データは、電話機からオンラインで使用するようにしてもよいし、電話機に所望の音声データをダウンロードしてオフラインで使用するようにしてもよい。また、オンラインでの使用とオフラインでの使用を併用するようにしてもよい。
例えば、ヘルプメニューで使用するガイダンスを電話機からオンラインで使用すれば、バージョンアップが容易であり、メモリ容量やＣＰＵの能力などの制限を受けないので、多様な音声、長文なども可能となる。ヘルプメニューで使用するガイダンスを電話機にダウンロードしてオフラインで使用すれば、電話機を一々ネットワークに接続する必要がない。オンラインでの使用とオフラインでの使用を併用すれば、オフライン時は簡易な言葉のみをヘルプメニューで使用するガイダンスとし、オンライン時は長文をヘルプメニューで使用するガイダンスとするなど、電話機の性能に応じた操作が可能となる。
【００１２】
【発明の実施の形態】
以下、本発明を図面に基づいて詳細に説明する。図１はこの発明に係る電話システムの一実施の形態の概略を示すシステム構成図である。同図において、１は携帯電話機、２は携帯電話会社のセンタであり、携帯電話機１とセンタ２とはネットワーク３を介して接続される。ネットワーク３には、本実施の形態特有の装置として、専用のサーバ４が接続されている。
【００１３】
サーバ４は、音声データベース４−１を備え、音声データベース４−１には音源が異なる多種類の音声データが蓄積されている。例えば、人物の声、各種信号音、動物の鳴声などの音声データが蓄積されている。
【００１４】
人物の声データは、芸能人、スポーツ選手、アナウンサーなどの項目に分類されており、これら分類された項目に属する人の声を音源とする不在時のガイダンスや不応答時のガイダンス、ヘルプメニューで使用するガイダンスなどの各種のガイダンスが格納されている。これらのガイダンスは、前もってスタジオなどで収録し、データベース化されている。また、ヘルプメニューで使用するガイダンス（ヘルプメニューガイダンス）は圧縮ファイルとして格納されている。
【００１５】
各種信号音は、機械音、環境音などの項目に分類されており、これら分類された項目に属する音を音源とする音声データが格納されている。例えば、機械音として、現場で録音した自動車や電車，飛行機などの音が格納されている。
【００１６】
動物の鳴声は、犬や猫などの項目に分類されており、これら分類された項目に属する動物の鳴声を音源とする音声データが格納されている。例えば、犬の鳴声として、ブルドックやスピッツなど各種の犬の鳴声が記憶されている。同様にして、他の動物の鳴声も録音され、データベース化されている。
【００１７】
〔携帯電話機からの音声データの選択指定〕
この電話システムでは、携帯電話機１からｉモード（登録商標）などのネットワークサービスを利用し、サーバ４が属するインターネットのサイトに接続すると、そのサイトのトップページが携帯電話機１の画面に表示される。この時に表示されるトップページの一例を図２（ａ）に示す。このトップページＰ１には、「人物の声」、「各種信号音」、「鳴声」、「ヘルプメニューガイダンス」という選択項目が表示される。なお、画面の下には、メニューとして「音設定」が表示される。
【００１８】
〔人物の声〕
トップページＰ１において、例えば「人物の声」を選択すると、「芸能人」，「スポーツ選手」，「アナウンサー」などの選択項目が表示される（図２（ｂ）：ページＰ２）。このページＰ２において、例えば「芸能人」を選択すると、「男性」，「女性」という項目が表示される（図２（ｃ）：ページＰ３）。このページＰ３において、例えば「女性」を選択すると、「女性芸能人一覧」が表示される（図２（ｄ）：ページＰ４）。この「女性芸能人一覧」には、サーバ４に登録されている女性芸能人の名前が５０音順で、スクロール可能に現れる。
【００１９】
ページＰ４において、所望の芸能人を選択すると、その選択した芸能人に対応してサーバ４の音声データベース４−１に記憶されているガイダンスが文字情報として表示される（図２（ｅ）：ページＰ５）。このページＰ５において、所望のガイダンスを選択すると、「登録」，「保存」，「確認」，「キャンセル」という項目が表示される（図２（ｆ）：ページＰ６）。
【００２０】
ページＰ６において、「確認」を選択すると、サーバ４の音声データベース４−１からページＰ５で選択指定した所望の芸能人のガイダンスが読み出され、再生される。
ページＰ６において、「登録」を選択すると、サーバ４の音声データベース４−１からページＰ５で選択指定した所望の芸能人のガイダンスが読み出され、携帯電話機１用のガイダンスとしてサーバ４に登録される。
ページＰ６において、「保存」を選択すると、サーバ４の音声データベース４−１からページＰ５で選択指定した所望の芸能人のガイダンスが読み出され、携帯電話機１に保存される。
【００２１】
〔各種信号音〕
トップページＰ１において（図３（ａ））、例えば「各種信号音」を選択すると、「機械音」，「環境音」などの選択項目が表示される（図３（ｂ）：ページＰ７）。このページＰ７において、例えば「機械音」を選択すると、「自動車」，「電車」，「飛行機」などの選択項目が表示される（図３（ｃ）：ページＰ８）。このページＰ８において、例えば「自動車」を選択すると、「登録」，「保存」，「確認」，「キャンセル」という項目が表示される（図３（ｄ）：ページＰ９）。
【００２２】
ページＰ９において、「確認」を選択すると、サーバ４の音声データベース４−１からページＰ８で選択指定した所望の機械音が読み出され、再生される。
ページＰ９において、「登録」を選択すると、サーバ４の音声データベース４−１からページＰ８で選択指定した所望の機械音が読み出され、携帯電話機１用の音声データとしてサーバ４に登録される。
ページＰ９において、「保存」を選択すると、サーバ４の音声データベース４−１からページＰ８で選択指定した所望の機械音が読み出され、携帯電話機１に保存される。
【００２３】
〔鳴声〕
トップページＰ１において（図４（ａ））、例えば「鳴声」を選択すると、「犬」，「猫」などの選択項目が表示される（図４（ｂ）：ページＰ１０）。このページＰ１０において、例えば「犬」を選択すると、「ブルドック」，「スピッツ」などの選択項目が表示される（図４（ｃ）：ページＰ１１）。このページＰ１１において、例えば「ブルドッグ」を選択すると、「登録」，「保存」，「確認」，「キャンセル」という項目が表示される（図４（ｄ）：ページＰ１２）。
【００２４】
ページＰ１２において、「確認」を選択すると、サーバ４の音声データベース４−１からページＰ１１で選択指定した所望の犬の鳴声が読み出され、再生される。
ページＰ１２において、「登録」を選択すると、サーバ４の音声データベース４−１からページＰ１１で選択指定した所望の犬の鳴声が読み出され、携帯電話機１用の音声データとしてサーバ４に登録される。
ページＰ１２において、「保存」を選択すると、サーバ４の音声データベース４−１からページＰ１１で選択指定した所望の犬の鳴声が読み出され、携帯電話機１に保存される。
【００２５】
なお、上述した携帯電話機１やサーバ４における処理動作は、プロセッサや記憶装置からなるハードウェアと、これらのハードウェアと協働して各種機能を実現させるプログラムとによって実現される。また、プログラムは媒体に記憶された形で提供され、ハードウェアシステムに組み込まれている記憶装置にインストールされることによって実行される。
【００２６】
〔不在時のガイダンスの設定〕
携帯電話機１からは、電源が切られていたり、留守番電話のサービス状態にあるような場合にセンタ２から他の電話機へ返送する不在時のガイダンスとして、好きな芸能人やスポーツ選手、アナウンサーなどの声を音源とするガイダンスを設定することができる。この設定は次のようにして行う。
【００２７】
携帯電話機１のトップページＰ１から自分の好きな人物を選択指定する（図５（ａ）〜（ｄ））。図５（ｄ）に示されたページＰ４において、所望の人物を選択すると、その選択した人物に対応してサーバ４の音声データベース４−１に記憶されているガイダンスが文字情報として表示される（図５（ｅ）：ページＰ５）。
【００２８】
このガイダンスには、不在時のガイダンスも含まれており、例えば不在時のガイダンスとして「留守番電話サービスにお継ぎします。」を選択する。すると、、「登録」，「保存」，「確認」，「キャンセル」という項目が表示される（図５（ｆ）：ページＰ６）。このページＰ６において「登録」を選択すると、サーバ４の音声データベース４−１からページＰ５で選択指定した所望の人物のガイダンスが読み出され、携帯電話機１用の不在時のガイダンスとしてサーバ４に登録される。
【００２９】
〔不在時のガイダンスの返送〕
図６にセンタ２からの他の電話機５への不在時のガイダンスの返送状況を示す。図６において、携帯電話機１は、留守番電話のサービス状態にあるものとする。この場合、他の電話機５から携帯電話機１への呼出しがあると、センタ２は携帯電話機１が留守番電話のサービス状態にあることを認識し、サーバ４の音声データベース４−１から携帯電話機１用として登録されている不在時のガイダンスを読み出し、この読み出した不在時のガイダンス、すなわち携帯電話機１の使用者が選択指定した所望の人物の声を音源とする不在時のガイダンスを、他の電話機５へ返送する。
【００３０】
この実施の形態において、他の電話機５へ返送する不在時のガイダンスを読み上げる人の声は、携帯電話機１からの選択指定によって自由に変更することが可能である。これにより、センタ２から他の電話機５へ返送する不在時のガイダンスに個人差を持たせ、おもしろみを増すことができる。
【００３１】
〔不応答時のガイダンスの設定〕
携帯電話機１には、電話に出られないような場合に他の電話機へ返送する不応答時のガイダンスとして、好きな芸能人やスポーツ選手、アナウンサーなどの声を音源とするガイダンスを設定することができる。この設定は次のようにして行う。
【００３２】
携帯電話機１のトップページＰ１から自分の好きな人物を選択指定する（図７（ａ）〜（ｄ））。図７（ｄ）に示されたページＰ４において、所望の人物を選択すると、その選択した人物に対応してサーバ４の音声データベース４−１に記憶されているガイダンスが文字情報として表示される（図７（ｅ）：ページＰ５）。
【００３３】
このガイダンスには、不応答時のガイダンスも含まれており、例えば不応答時のガイダンスとして「只今、電話に出ることができません。」を選択する。すると、「登録」，「保存」，「確認」，「キャンセル」という項目が表示される（図７（ｆ）：ページＰ６）。このページＰ６において「保存」を選択すると、サーバ４の音声データベース４−１からページＰ５で選択指定した所望の人物のガイダンスが読み出され、携帯電話機１に保存される。
【００３４】
次に、画面の下にメニューとして表示されている「音設定」を選択し（図８（ａ））、「音設定」のメニュー項目を表示させる（図８（ｂ）：ページＰ１３）。この場合、「音設定」のメニュー項目として、「待受け音声」、「ボタン設定」、「ヘルプメニューガイダンス解凍」、「ヘルプメニューガイダンス削除」が表示される。このページＰ１３において、「待受け音声」を選択すると、「人物の声」、「各種信号音」、「鳴声」の選択項目が表示される（図８（ｃ）：ページＰ１４）。
【００３５】
ページＰ１４において、「人物の声」を選択すると、携帯電話機１に保存されているガイダンスの一覧が表示される（図８（ｄ）：ページＰ１５）。なお、このガイダンスの一覧中、文字情報としてスクロール可能に表示されるガイダンスには、そのガイダンスを読み上げる人物の名前が付される。このガイダンスの一覧から保存した不応答時のガイダンスを選択し、携帯電話機１における好きなボタンを押下する（図８（ｅ）：ページＰ１６）。すると、その押下したボタンが待受けボタンとされ、そのボタンにページＰ１５で選択指定した不応答時のガイダンスが割り当てられる。
【００３６】
〔不応答時のガイダンスの返送〕
図９に携帯電話機１から他の電話機５への不応答時のガイダンスの返送状況を示す。この例では、他の電話機５から携帯電話機１へ着信があり、この着信に対して携帯電話機１の使用者が出られないものとする。例えば、車や電車での移動中であって、他の電話機５からの着信に対して応答することができないものとする。
【００３７】
この場合、携帯電話機１の使用者は、図８に示した操作により設定した待受けボタンを押す。すると、携帯電話機１は、この待受けボタンに割り当てられている不応答時のガイダンスを読み出し、この読み出した不応答時のガイダンス、すなわち携帯電話機１の使用者が選択指定した所望の人物の声を音源とする不応答時のガイダンスを、他の電話機５へ返送する。
【００３８】
この実施の形態において、他の電話機５へ返送する不応答時のガイダンスを読み上げる人の声は、携帯電話機１からの選択指定によって自由に変更することが可能である。これにより、携帯電話機１から他の電話機５へ返送する不応答時のガイダンスに個人差を持たせ、おもしろみを増すことができる。
【００３９】
〔ヘルプメニューで使用するガイダンス〕
本実施の形態の携帯電話機１では、ヘルプメニューで使用するガイダンスとして、好きな芸能人やスポーツ選手、アナウンサーなどの声を音源とするガイダンスを使用することができる。
【００４０】
この場合、トップページＰ１において、「ヘルプメニューガイダンス」を選択する（図１０（ａ）：ページＰ１）。すると、「芸能人」，「スポーツ選手」，「アナウンサー」などの選択項目が表示される（図１０（ｂ）：ページＰ２）。このページＰ２において、例えば「芸能人」を選択すると、「男性」，「女性」という項目が表示される（図１０（ｃ）：ページＰ３）。このページＰ３において、例えば「女性」を選択すると、「女性芸能人一覧」が表示される（図１０（ｄ）：ページＰ４）。
【００４１】
ページＰ４において、所望の芸能人を選択すると、「保存」，「解凍」，「キャンセル」という項目が表示される（図１０（ｆ）：ページＰ１７）。
ページＰ１７において、「保存」を選択すると、サーバ４の音声データベース４−１からページＰ４で選択指定した所望の芸能人のヘルプメニューガイダンスの圧縮ファイルが読み出され、携帯電話機１に保存される。
ページＰ１７において、「解凍」を選択すると、サーバ４の音声データベース４−１からページＰ４で選択指定した所望の芸能人のヘルプメニューガイダンスの圧縮ファイルが読み出され、サーバ４側で解凍される。
【００４２】
〔ヘルプメニューガイダンスのオンラインでの使用〕
ヘルプメニューガイダンスをオンラインで使用する場合、ページＰ１７において、「解凍」を選択する。これにより、サーバ４の音声データベース４−１からページＰ４で選択指定した所望の芸能人のヘルプメニューガイダンスの圧縮ファイルが読み出され、サーバ４側で解凍される。
【００４３】
すると、携帯電話機１の画面には、その解凍されたヘルプメニューガイダンスの一覧が文字情報として表示される（図１０（ｆ）：ページＰ１８）。この表示されたヘルプメニューガイダンスの一覧から所望のガイダンスを選択すると、サーバ４側で解凍されているページＰ４で選択した所望の人物の声を音源とするガイダンスが読み出され、携帯電話機１において再生される。
【００４４】
〔ヘルプメニューガイダンスのオフラインでの使用〕
ヘルプメニューガイダンスをオフラインで使用する場合、ページＰ１７において、「保存」を選択する。これにより、サーバ４の音声データベース４−１からページＰ４で選択指定した所望の芸能人のヘルプメニューガイダンスの圧縮ファイルが読み出され、携帯電話機１に保存（ダウンロード）される。
【００４５】
次に、画面の下にメニューとして表示されている「音設定」を選択し（図１１（ａ））、「音設定」のメニュー項目を表示させる（図１１（ｂ）：ページＰ１３）。この場合、「音設定」のメニュー項目として、「待受け音声」、「ボタン設定」、「ヘルプメニューガイダンス解凍」、「ヘルプメニューガイダンス削除」が表示される。
【００４６】
このページＰ１３において、「ヘルプメニューガイダンス解凍」を選択すると、携帯電話機１に保存したヘルプメニューガイダンスの圧縮ファイルが解凍される。解凍されたヘルプメニューガイダンスはそのまま携帯電話機１のシステムに上書きされる。一度解凍したヘルプメニューガイダンスは、次の上書きがされるまで使用することができる。なお、ページＰ１３において、「ヘルプメニューガイダンス削除」を選択すると、システムに書き込まれたヘルプメニューガイダンスを削除することができる。
【００４７】
携帯電話機１からヘルプメニューガイダンスをオンラインで使用すれば、バージョンアップが容易であり、メモリ容量やＣＰＵの能力などの制限を受けないので、多様な音声、長文なども可能となる。
携帯電話機１にヘルプメニューガイダンスをダウンロードしてオフラインで使用すれば、携帯電話機１を一々ネットワーク３に接続する必要がなく、煩わしさがない。また、通信料金の節約にもなる。
オンラインでの使用とオフラインでの使用を併用すれば、オフライン時は簡易な言葉のみをヘルプメニューで使用するガイダンスとし、オンライン時は長文をヘルプメニューで使用するガイダンスとするなど、携帯電話機１の性能に応じた操作が可能となる。
【００４８】
この実施の形態において、携帯電話機１で使用するヘルプメニューガイダンスを読み上げる人の声は、携帯電話機１からの選択指定によって自由に変更することが可能である。これにより、携帯電話機１で使用するヘルプメニューガイダンスに個人差を持たせ、おもしろみを増すことができる。
【００４９】
〔キー押下音の設定〕
本実施の形態の携帯電話機１では、各ボタンのキー押下音として、好きな芸能人やスポーツ選手、アナウンサーなどの声、動物の鳴声、各種信号音などを設定することができる。
【００５０】
この場合、画面の下にメニューとして表示されている「音設定」を選択し（図１２（ａ）：ページＰ１）、「音設定」のメニュー項目を表示させる（図１２（ｂ）：ページＰ１３）。この場合、「音設定」のメニュー項目として、「待受け音声」、「ボタン設定」、「ヘルプメニューガイダンス解凍」、「ヘルプメニューガイダンス削除」が表示される。このページＰ１３において、「ボタン設定」を選択すると、「人物の声」、「各種信号音」、「鳴声」の選択項目が表示される（図１２（ｃ）：ページＰ１４）。
【００５１】
ページＰ１４において、「鳴声」を選択すると、サーバ４に登録されている動物の一覧が表示される（図１２（ｄ）：ページＰ１９）。ページＰ１９において、「犬」を選択すると、サーバ４の音声データベース４−１に記憶されている犬の種類が文字表示される（図１２（ｅ）：ページＰ２０）。
【００５２】
ページＰ２０において、所望の種類の犬を選択し、携帯電話機１における好きなボタンを押下する（図１２（ｆ）：ページＰ２１）。すると、サーバ４の音声データベース４−１からページＰ２０で選択した種類の犬の音声データが読み出され、この読み出された音声データが携帯電話機１にダウンロードされて、ページ２１で押下したボタンと対応づけて携帯電話機１に保存される。
【００５３】
以下、同様にして、携帯電話機１における各ボタンに、所望の音声データを割り当てることができる。上述では、犬の鳴声を割り当てるようにしたが、他の種類の動物の鳴声を割り当てることもできる。また、ページＰ１４において、「各種信号音」を選択すれば、自動車の音や電車の音、飛行機の音なども割り当てることができる。また、ページＰ１４において、「人物の声」を選択すれば、所望の人物の声を音源とする音を割り当てることができる。
【００５４】
この実施の形態において、各ボタンに割り当てるキー押下音の音源は、携帯電話機１からの選択指定によって自由に変更することができる。これにより、携帯電話機１の各ボタンのキー押下音に自由度を持たせ、おもしろみを増すことができる。なお、実際にキー押下音を鳴らす場合には、携帯電話機１のマナーモードやサイレントモードの機能を外した状態とする。これにより、所望のボタンを押すと、そのボタンに割り当てられた音源の音が流れる。
【００５５】
参考として、図１３にサイトのトップページからの操作の流れを、図１４に携帯電話機１におけるメニューの音設定からの操作の流れを示す。
なお、上述した実施の形態では、電話システムとして携帯電話システムを例にとって説明したが固定電話システムでも同様にして適用することが可能である。すなわち、携帯電話機１を固定電話機としても、同様にして本発明を適用することができる。
また、上述した実施の形態では、携帯電話機１の所望のボタンを待受けボタンとして選択し、この選択したボタンにダウンロードした不応答時のガイダンスを割り当てるようにしたが、ダウンロードした時点で予め定められたボタンに強制的に割り当てられるようにしたもよい。
【００５６】
【発明の効果】
以上説明したことから明らかなように本発明によれば、サーバに音源が異なる多種類の音声データを蓄積した音声データベースを設け、電話機にサーバの音声データベースに蓄積されている音声データを選択指定する音声データ選択指定手段を設けたので、好きな芸能人の声や各種信号音、動物の鳴声などを音源として使用するなどして、他の電話機へ返送する音声によるガイダンスやヘルプメニューで使用するガイダンス、各ボタンのキー押下音などに個人差を持たせて楽しむことができるようになる。
【図面の簡単な説明】
【図１】本発明に係る電話システムの一実施の形態の概略を示すシステム構成図である。
【図２】携帯電話機からの音声データ（人物の声）の選択指定を説明する図である。
【図３】携帯電話機からの音声データ（各種信号音）の選択指定を説明する図である。
【図４】携帯電話機からの音声データ（動物の鳴声）の選択指定を説明する図である。
【図５】携帯電話機からの不在時のガイダンスの設定を説明する図である。
【図６】センタからの不在時のガイダンスの他の電話機への返送状況を示す図である。
【図７】携帯電話機からの不応答時のガイダンスの設定を説明する図である。
【図８】不応答時のガイダンスの所望のボタン（待受けボタン）への割り当てを説明する図である。
【図９】携帯電話機からの不応答時のガイダンスの他の電話機への返送状況を示す図である。
【図１０】携帯電話機からのヘルプメニューで使用するガイダンスの設定を説明する図である。
【図１１】ヘルプメニューガイダンスのオフラインでの使用を説明する図である。
【図１２】携帯電話機の各ボタンへのキー押下音の設定を説明する図である。
【図１３】サイトのトップページからの操作の流れを示す図である。
【図１４】携帯電話機におけるメニューの音設定からの操作の流れを示す図である。
【符号の説明】
１…携帯電話機、２…センタ、３…ネットワーク、４…サーバ、４−１…音声データベース、Ｐ１〜Ｐ２１…ページ。
【図１】
2005020164.tif 000003
【図２】
2005020164.tif 000004
【図３】
2005020164.tif 000005
【図４】
2005020164.tif 000006
【図５】
2005020164.tif 000007
【図６】
2005020164.tif 000008
【図７】
2005020164.tif 000009
【図８】
2005020164.tif 000010
【図９】
2005020164.tif 000011
【図１０】
2005020164.tif 000012
【図１１】
2005020164.tif 000013
【図１２】
2005020164.tif 000014
【図１３】
2005020164.tif 000015
【図１４】
2005020164.tif 000016